(57)【要約】【課題】マグネットシートが、スチールの壁面に接着している状態で、いったん剥がしたり、めくり上げることなく、片手で容易に紙片や、フックを差し込み、また引き抜くことを可能にする。【解決手段】マグネットシート吸着面の辺端部を所定の傾斜で切り落とすことで、挿入口として、高さ約０．６ミリの差し込み開口部を確保し、挿入する紙片の押しこむ力が傾斜面に相対したときに、シート辺端部がめくれあがる作用に働く工夫を施した。【選択図】図２
2014040064.tif 000002
【特許請求の範囲】
【請求項１】
磁気吸着力を有する弾性体シートであって、当該弾性体シートが金属製基体へ吸着する吸着面において、当該弾性体シートの端部側に開口部と、当該端部から吸着面に向かう所定の傾斜面とを有し、紙シートを前期開口部に挿入し、前記傾斜面に沿って押しこみ、吸着面に達することにより、該紙シートを保持することを特徴とするクリップ機能付きマグネットシート。
【請求項２】
磁気吸着力を有する弾性体シートであって、当該弾性体シートが金属製基体へ吸着する吸着面において、当該弾性体シートの端部側に開口部と、当該端部から吸着面に向かう所定の傾斜面とを有し、金属もしくはプラスチックの器具を前記開口部に挿入し、前記傾斜面に沿って押しこみ、吸着面に達することにより固定された前記器具に、工具を取りつけできることを特徴とするフック架台機能付きマグネットシート。
【発明の詳細な説明】
【技術分野】
【０００１】
本発明は、メモの抜きさしが容易なマグネットシートに関するものである。
【背景技術】
【０００２】
一般的にスチール壁面に簡易設置し、クリップやホルダとして使われているマグネットクリップは、プラスチック成型物に磁石を組み込んだ、バー型の形状のものが多い。あるいは、ばね式のクリップ台そのものに磁石を組み込んだものがある。これらのマグネットクリップには、使い勝手と安全上、問題があった。
【０００３】
即ち、メモを挟む場合いったん片手で剥がすか、特定の部分をプッシュしてから挟み込むもので、片手がふさがっている状態では使いづらい。
【０００４】
また、メモを引き抜くとき、片手で無理に引き抜こうとすると、本体そのものが落下することがよくある。中には重いものもあるので、思わぬ怪我につながりかねず、安全上好ましくない。
【０００５】
さらに、広告宣伝用に、マグネットシートに印刷を施して家庭に配布しているものには、クリップとしての使用を謳ってはいるものの、機能性や、使い勝手の問題から、充分な効果を果たしているとはいえない。
【０００６】
一方、両面が磁性体になっているマグネットに、上からスチール板でメモを挟んだ状態で、新たなメモを片手で差し込むことができるというものがある。磁力による吸引力は被着体であるスチール板の質量と相関するので薄いスチール板を使うと吸着力は弱いので、メモの抜きさしが容易である。（例えば特許文献１参照）
【０００７】
また、プラスチックや木などを孤状に成型して孤の両サイドに２か所磁石を組み込んで、シーソーのように交互に２点接地吸着するようにして、微妙な力加減で仮止め、本止めを繰り返すことで、メモの出し入れが片手でできるというものがある。（例えば特許文献２参照）
【先行技術文献】
【特許文献】
【０００８】
【特許文献１】特開２０１２−２０５６４号公報
【０００９】
【特許文献２】実用新案登録第３００３０４７
【発明の概要】
【発明が解決しようとする課題】
【００１０】
しかしながら、上記従来の技術においては以下のような課題がある。即ち、
（１）両手に依らず、片手でメモを差し込んだり、引き抜いたりできるようにすること。利便性に優れていること。
（２）片手で抜きさしができるためには、ホールドする力を弱くするか、２点交互接着などの工夫があったが、数量的に多くの枚数は挟めない。より多くの枚数を同時安定的にクリップできる機能性を高めたい。
（３）広告宣伝メディアとして、最大限の情報スペースの確保と、付加価値としての実用性の両立。
（４）ノベルティーとしての利用を考えると、比較的低コストで小量生産できること。コストパフォーマンスに優れていること。
【課題を解決するための手段】
【００１１】
上記課題を解決するために、第一の本発明マグネットシートは、弾性を有するマグネットシートの吸着面の辺端部に、開口部と傾斜面を設けるものであ。
【００１２】
第二の本発明マグネットシートは、弾性を有するマグネットシートの吸着部の辺端部に、開口部と傾斜面を設け、金属、もしくはプラスチックの器具を、前記開口部に挿入し、吸着面に固定するものである。
【発明の効果】
【００１３】
第一の本発明マグネットシートにおいて、開口部と、傾斜面を有したことにより、マグネットシートが安定的に接着した状態で、紙片が押し込まれると、マグネットシートの弾性によるたわみと傾斜面の効果により、片手で容易に紙片を挿入できる。併せて、引き抜くことも簡単である。
【００１４】
また、マグネットシート素材の持つ弾性による復元力により、紙片を所定長挿入すれば安定してホールドされ、すべての辺端部を用いれば大量の紙片を挟み込むことが可能になる。しかもシートの中心部は直接スチール面に密着しているので、剥がれ落ちるリスクが少ない。
【００１５】
さらに、表面上の細工は一切ないので、広告スペースは最大限確保でき、しかも、実用性に優れているので長期的な広告効果が期待できる。
【００１６】
一方、マグネットシートとして、弾性を有する一般汎用品を使用することにより、プラスチック成型の為の、特別な金型も必要なく、一部の加工で済むので小ロットでも低コストで製作できる。
【００１７】
第二の本発明マグネットシートにおいて、専用のフックを合わせて使用することで、さらなる効果として、工具や、部品などを設置する簡易架台として、新しい用途、市場を提供できる。
【図面の簡単な説明】
【００１８】
【図１】本発明の第一の実施例を示す構成図である。
【図２】本発明の第一の実施例において、３段階の動作を表す図である。
【図３】本発明の第一の実施例における一応用例を示す図である。
【図４】本発明の第二の実施例を示す構成図である。
【図５】本発明の第三の実施例を示す構成図である。
【図６】本発明の第四の実施例を示す構成図である。
【発明を実施するための形態】
【００１９】
本発明は、弾性を有するマグネットシートの吸着面の辺端部に、開口部と挿入傾斜面を施すことで、すべての課題を解決した。しかも、これまでにない新しい用途での活躍が期待できる。
【実施例１】
【００２０】
図１は、本発明の第一の実施例を示す構成図である。図１において、開口部５と挿入傾斜面６を有したマグネットシート２が、スチールの壁面１に安定して貼りついた状態において、紙片３を開口部５に向けて進入させる。
【００２１】
図２は、本発明第一の実施例において、３段階の動作を表す図である。図２においては、図１の状態から、紙片３が完全にマグネットシート２の吸着面４とスチール壁面１とに間に保持されるまでの経過を表している。
【００２２】
即ち、図２Ａでは、厚さ約1ｍｍのマグネットシート２において、高さ約０，６ｍｍの開口部５に、厚み約０，２ｍｍの紙片３が差し込まれる際、端部から約０，２〜３ｍｍ点で初めて、傾斜面６に接触する。
【００２３】
次に、図２Ｂでは、さらに紙片３が押し込まれると、マグネットシート２の弾性によるたわみと、傾斜面６の効果により、押し込む力が進入口をこじ開ける力に働いて、吸着面４に達することができる。
【００２４】
そして、図２Ｃでは、紙片３の厚みを高さとした、三角形の隙間が挿入進路に形成されることで、より深部への挿入が容易になり、マグネットシート２の吸着力と弾性による復元力の二つの力により紙片３がマグネットシート２の吸着面４とスチール壁面１との間に安定して完全に保持される。
【００２５】
なお、上記の例においては、厚さ約１ｍｍのマグネットシート２に厚さ約０，２ｍｍの紙片３を挿入する場合における開口部５及び傾斜面６を記載しているが、マグネットシート２及び紙片３の厚さに応じて、開口部５及び傾斜面６は適宜変更される。
【００２６】
一方、マグネットシート２として、弾性を有する一般汎用品を使用することにより、プラスチック成型の為の、特別な金型も必要なく、一部の加工で済むので小ロットでも低コストで製作できる。
【００２７】
図３は、本発明の第一の実施例における一応用例を示す図である。図３においては、マグネットシート２吸着面４の4辺すべての端部に開口部５と傾斜面６を有した時、すべての辺、及びコーナーから紙片３を挿入できる。また、マグネットシート２の表面上の細工は一切ないので、広告スペースは最大限確保でき、しかも実用性に優れているので長期的な広告効果が期待できる。
【実施例２】
【００２８】
図４は、本発明の第ニの実施例を示す構成図である。図２においては、開口部５と傾斜面６を有したマグネットシート２の吸着面４の上部に専用のフック１０を差し込んで架台とし、工具７を掛けたものである。
【００２９】
マグネットシート２の磁気吸引力は、例えば平方ｃｍあたり約４０グラム程度あるので、仮に５ｃｍ×１０ｃｍのマグネットシート２なら約２キロの吸引力があり、フック１０を用いて、工具７や部品等を固定することができる。
【実施例３】
【００３０】
。
図５は、本発明の第三の実施例を示す構成図である。図５においては、差し込み挿入するための入り口として吸着面４にあらかじめ差し込み玄関用シール８を貼っておき、その差し込み玄関用シール８の下から紙片３を挿入しようとするものである。
【００３１】
即ち、マグネットシート２の吸着面４の辺端部１０〜２０ｍｍ程度の位置に、５〜１０ｍｍ程度、マグネットシート２からはみ出るように差し込み玄関用シール８を貼りつけたもので、はみ出した部分の差し込み玄関用シール８を外側にカールさせておき、この差し込み玄関用シール８の下を潜るように紙片３を挿入できるというものである。
【実施例４】
【００３２】
図６は、本発明の第四の実施例を示す構成図である。図６においては、差し込み挿入するための入り口として、吸着面４を微球状のエンボス面９にしたマグネットシート２を示す。
【００３３】
即ち、差し込み挿入するための入り口として、辺端部に微球状の樹脂盛り加工を施すことで、吸着面４をエンボス状に加工したものである。差し込むときの抵抗は軽減され、紙片３のスムーズな挿入が可能となる。ただし、被着体であるスチール面１との密着度が希薄になり、さらに、密着しない凹面はスチール壁面１との間に距離が生じることになり、吸着力は弱くなる。
【産業上の利用可能性】
【００３４】
本発明のマグネットシートは、告知、ＰＲメディアとしての利用にとどまらず、オフィス、工場、建築現場などでの工具や部品を設置する架台として、あるいは、産業、工作機械のパーツとしても、幅広く利用できる。
【符号の説明】
【００３５】
１    スチール壁面
２    マグネットシート
３    紙片
４    吸着面
５    開口部
６    傾斜面
７    工具
８    差し込み玄関用シール
９    微球状エンボス面
１０  フック
【図１】
2014040064.tif 000003
【図２】
2014040064.tif 000004
【図３】
2014040064.tif 000005
【図４】
2014040064.tif 000006
【図５】
2014040064.tif 000007
【図６】
2014040064.tif 000008